(57)【要約】【課題】振動式電気かみそりの外刃として用いる網刃の内部応力を軽減して摩擦低減皮膜の応力割れを防ぐとともに、内刃に密着するエリアの拡大を図る。【解決手段】振動式電気かみそり１の外刃として用いられる網刃３０は、表面に硬質のポリ四フッ化エチレンで摩擦低減皮膜３４が形成されており、樋形状に湾曲した状態で刃枠２０に取り付けられる。網刃３０は、雌治具４１と雄治具４２からなる熱処理治具４０にセットされ、刃枠２０に取り付けられるときの湾曲状態に保持された状態で炉に入れられて加熱され、所定時間維持される。この過程で網刃３０の内部応力が軽減される。所定時間経過後、熱処理治具４０を炉から出し、液体に浸漬する。これによって網刃３０は急冷され、焼き入れ効果が生じる。【選択図】図６
2010240171.tif 000002
【特許請求の範囲】
【請求項１】
表面に摩擦低減皮膜が形成された網刃を、刃枠に取り付けられるときの湾曲状態に保持した状態で加熱し、所定時間維持した後、急冷することを特徴とする電気かみそりの網刃処理方法。
【請求項２】
処理の間、前記網刃は雌雄の治具に挟み込まれて湾曲状態に保持されることを特徴とする請求項１に記載の電気かみそりの網刃処理方法。
【請求項３】
請求項１または２に記載の電気かみそりの網刃処理方法で処理されたことを特徴とする電気かみそりの網刃。
【発明の詳細な説明】
【技術分野】
【０００１】
本発明は電気かみそりの網刃を処理する方法及びそれによって処理された電気かみそりの網刃に関する。
【背景技術】
【０００２】
電気かみそりには回転式と振動式の二方式がある。回転式電気かみそりでは肌に当たる外刃と回転する内刃の間で髭を切断し、振動式電気かみそりでは肌に当たる外刃と振動する内刃の間で髭を切断する。振動式電気かみそりでは、髭を誘い込む小孔を多数備えた平板状の網刃をプレス成型や電鋳法で形成し、この網刃を樋形状に湾曲させて刃枠に取り付け、外刃とすることが多い。
【０００３】
振動式電気かみそりの外刃を構成する網刃の例を特許文献１、２に見ることができる。いずれの文献にも、電鋳法により形成した網刃が開示されている。また、特許文献１には、肌との滑りを良くし、汚れ及び微粉末が付着しにくくするため、網刃の表面にフッ素樹脂と金属の複合メッキ層を形成する技術が開示されている。
【先行技術文献】
【特許文献】
【０００４】
【特許文献１】特開昭６２−１１７５８４号公報（国際特許分類：Ｂ２６Ｂ１９／０４）
【特許文献２】特開２００４−２４２９６６号公報（国際特許分類：Ｂ２６Ｂ１９／００、Ｂ２６Ｂ１９／１６、Ｃ２５Ｄ１／１０）
【発明の概要】
【発明が解決しようとする課題】
【０００５】
上記網刃は、製造時点では概ね平板状である。この網刃を樋形状に湾曲させると、網刃の肉厚の内部に応力が発生する。すなわち中立線を境にして外側では引張応力が発生し、内側では圧縮応力が発生する。網刃表面に形成した摩擦低減皮膜にも引張応力が発生する。摩擦低減皮膜が網刃母材よりも硬質のフッ素樹脂からなる場合など、内部に引張応力が存在する状態で肌に押し当てて加圧状態で使用していると、繰り返し加圧により摩擦低減被膜に応力割れが発生することがあった。
【０００６】
また、樋形状に湾曲させた平板状の網刃は、引張応力と圧縮応力を旧に復そうとする復元性向で平板状に戻ろうとする。このため、内刃と密着するエリアを拡大することには困難が伴い、シェービング時に肌から圧力を受けて内刃形状そのままに形状が追随する追随性にも影響が生じていた。
【０００７】
また、最近の振動式電気かみそりは３枚刃、４枚刃など刃の数を多くする傾向にあり、個々の網刃の湾曲の曲率半径が小さくなってきていることも、上記問題を深刻化させていた。
【０００８】
本発明は上記の点に鑑みなされたものであり、振動式電気かみそりの外刃として用いる網刃の内部応力を軽減して摩擦低減被膜の応力割れを防ぐとともに、内刃に密着するエリアの拡大を図ることを目的とする。
【課題を解決するための手段】
【０００９】
上記目的を達成するために、本発明に係る電気かみそりの網刃処理方法は、表面に摩擦低減皮膜が形成された網刃を、刃枠に取り付けられるときの湾曲状態に保持した状態で加熱し、所定時間維持した後、急冷することを特徴としている。
【００１０】
この構成によると、網刃の内部応力が軽減されることから、摩擦低減皮膜の応力割れを防ぐことができる。また、網刃が湾曲状態から平板状態に戻ろうとする性向を抑え、内刃に密着するエリアを拡大することができる。
【００１１】
また本発明は、上記構成の電気かみそりの網刃処理方法において、処理の間、前記網刃は雌雄の治具に挟み込まれて湾曲状態に保持されることを特徴としている。
【００１２】
この構成によると、目的とする応力軽減効果を、処理される網刃の全てに、確実に生じさせることができる。
【００１３】
また本発明は、上記構成の電気かみそりの網刃処理方法で処理された電気かみそりの網刃であることを特徴としている。
【００１４】
この構成によると、摩擦低減被膜の応力割れのない、内刃との密着性の良い網刃を内刃に組み合わせることができる。
【発明の効果】
【００１５】
本発明によると、電気かみそりの網刃を、湾曲状態で使用しても内部応力の少ないものとすることができ、摩擦低減皮膜の応力割れの懸念をなくすことができる。また、内刃との密着エリアが拡大し、剃り心地の良さを高めることができる。
【図面の簡単な説明】
【００１６】
【図１】振動式電気かみそりの正面図である。
【図２】外刃の刃枠と、それに湾曲状態で取り付けられる網刃の斜視図である。
【図３】網刃の平面図である。
【図４】網刃の部分拡大断面図である。
【図５】網刃湾曲部の拡大断面図である。
【図６】網刃及びその熱処理治具の斜視図である。
【図７】網刃を熱処理治具にセットした状態の斜視図である。
【発明を実施するための形態】
【００１７】
図１に示す電気かみそり１は振動型電気かみそりであって、ケース１０の上部に外刃と内刃からなる刃部１１を有する。ケース１０の正面には、内刃を駆動するモータをＯＮ／ＯＦＦさせる開閉スイッチのスライドつまみ１２が配置されている。刃部１１は３枚刃の構成であり、外刃と内刃の組み合わせが３組、互いに平行に配置されている。
【００１８】
外刃は、図２に示す刃枠２０に、樋形状に湾曲された網刃３０を組み合わせて構成される。図３に示すように、網刃３０の中央領域には、髭を誘い込む小孔３１が多数形成されるとともに、長手方向の２辺には、刃枠２０の側面に互いに間隔を置いて設けられた複数の突起２１に係合する複数の係合穴３２が形成されている。小孔３１の縁の部分は、図４に示すように鋭いエッジ３３となっている。
【００１９】
網刃３０は電鋳法またはプレス成型で形成される。プレス成型で形成した網刃３０は平板状であるし、電鋳法で形成した網刃３０も、大直径のドラムの表面に電鋳されるため、ドラムから取り外した状態ではほぼ平板状である。
【００２０】
網刃３０の表面には摩擦低減皮膜３４が形成される。摩擦低減皮膜３４は、硬質のポリ四フッ化エチレン（ＰＴＦＥ）を素材として、特許文献１に開示されたものと同様のメッキ法で形成することができる。
【００２１】
網刃３０を湾曲させると、その肉厚の内部に引張応力が作用する領域と圧縮応力が作用する領域が生まれる。図５に仮想的に示す中立線３５の半径方向外側には引張応力が作用し、中立線３５の半径方向内側には圧縮応力が作用する。摩擦低減被膜３４にも引張応力が作用する。このような応力を存在させたまま肌に押し当てて使用すると、繰り返し加圧により摩擦低減皮膜３４に応力割れが発生する可能性があるので、応力軽減の手立てをとる。本発明では、以下に説明する網刃３０の熱処理がその手立てということになる。
【００２２】
網刃３０の熱処理のため、図６に示す熱処理治具４０を用いる。熱処理治具４０は雌治具４１と雄治具４２の組み合わせより構成される。雌治具４１と雄治具４２は、いずれもある程度の熱に耐えられる金属、例えば鋼鉄からなる。雌治具４１は断面Ｕ字形の樋の形状をしており、その湾曲部の曲率半径は、網刃３０を湾曲させて刃枠２０に取り付ける際の網刃３０外面の曲率半径に一致している。雌治具４１には、網刃３０に形成された複数の係合穴３２の内、網刃３０が湾曲せしめられたことにより互いを透かし見ることができる位置に来た係合穴３２同士の組み合わせ２組に対応する位置に、ピン４３を通すピン通し穴４４が形成されている。
【００２３】
雄治具４２は雌治具３０からはみ出す長さの円筒状の棒であり、雌治具３０に入る部分は断面半円形にカットされ、その半円形断面部４５に、把手形状の板ばね４６が固定されている。半円形断面部４５の曲率半径は、網刃３０を湾曲させて刃枠２０に取り付ける際の網刃３０内面の曲率半径に一致している。
【００２４】
網刃３０を熱処理する際は、雌治具４１の中に網刃３０を入れた後、雄治具４２を上から押し込む。そして雌治具４１の一方の側から２本のピン４３を挿入する。ピン４３は、ピン通し穴４４から網刃３０の一辺側の係合穴３２を通り、板ばね４６を圧迫しつつ板ばね４６の上面をかすめた後、網刃３０の他辺側の係合穴３２とそれに対応するピン通し穴４４を通って雌治具４１の外に抜ける。ピン４３で板ばね４６が圧迫されることにより、雄治具４２は雌治具４１の底に網刃３０をぴったりと押し付ける。雌治具４１と雄治具４２に挟まれて、網刃３０は刃枠２０に取り付けられるときの湾曲状態に保持されることになる。このように熱処理治具３０に網刃３０をセットした状態を図７に示す。
【００２５】
上記のように網刃３０をセットした熱処理治具４０を図示しない炉に入れて加熱し、所定時間維持する。加熱する温度としては、例えば２００℃、維持する時間としては、例えば１０分間といった値を選択することができる。
【００２６】
所定時間経過後、熱処理治具４０を炉から引き出して液体―例えば水―に浸漬し、網刃３０を急冷する。これにより、網刃３０に焼き入れ効果が生じる。
【００２７】
手でさわれる程度まで熱処理治具４０の温度が下がったら、それを液体から引き上げ、ピン４３を抜いて雄治具４２と雌治具４１を分離する。そして網刃３０を取り出す。
【００２８】
上記のように熱処理された網刃３０は、その肉厚内に生じていた応力が、引張方向のものも圧縮方向のものも、軽減されている。摩擦低減被膜３４の内部の引張応力も軽減されている。このため、刃枠２０に取り付けて使用を開始しても、摩擦低減皮膜３４に応力割れが生じにくい。また、内刃に密着するエリアも拡大しているから、剃り心地の良さが高まる。網刃３０に焼き入れ効果が生じていることも、切断の切れ味向上に貢献する。
【００２９】
以上、本発明の実施形態につき説明したが、本発明の範囲はこれに限定されるものではなく、発明の主旨を逸脱しない範囲で種々の変更を加えて実施することができる。
【産業上の利用可能性】
【００３０】
本発明は、振動式電気かみそりの網刃に広く利用可能である。
【符号の説明】
【００３１】
１    電気かみそり
１０  ケース
１１  刃部
２０  刃枠
３０  網刃
３１  小孔
３４  摩擦低減皮膜
４０  熱処理治具
４１  雌治具
４２  雄治具
【図１】
2010240171.tif 000003
【図２】
2010240171.tif 000004
【図３】
2010240171.tif 000005
【図４】
2010240171.tif 000006
【図５】
2010240171.tif 000007
【図６】
2010240171.tif 000008
【図７】
2010240171.tif 000009